(57)【要約】【課題】  外装部の突出量を抑制しつつ、外装部とサッシ枠とを独立して着脱可能なサッシ構造を提供する。【解決手段】  シャッター付きサッシは、外壁Ｗに形成された開口部Ｒに収容されるアタッチメント枠部２０と、アタッチメント枠部２０の前部に取り付けられて外壁Ｗから突出するシャッター１０と、アタッチメント枠部２０の枠内に取り付けられるサッシ枠３０と、を備える。シャッター１０とサッシ枠３０とは、いずれも単独でアタッチメント枠部２０から着脱可能である。【選択図】  図１
2014231679.tif 000002
【特許請求の範囲】
【請求項１】
外壁に形成された開口部に収容されるアタッチメント枠部と、
前記アタッチメント枠部の前部に取り付けられて前記外壁から突出する外装部と、
前記アタッチメント枠部の枠内に取り付けられるサッシ枠と、
を備え、
前記外装部と前記サッシ枠とはいずれも単独で前記アタッチメント枠部から着脱可能である、サッシ構造。
【請求項２】
前記外装部は、屋外側から前記アタッチメント枠部に着脱可能に取り付けられ、
前記サッシ枠は、屋内側から前記アタッチメント枠部に着脱可能に取り付けられる、
請求項１に記載のサッシ構造。
【請求項３】
前記アタッチメント枠部は、建物の躯体に固定される下地部材に支持される、請求項１又は２に記載のサッシ構造。
【請求項４】
前記アタッチメント枠部は、前記開口部の周壁面に対向する周壁対向面部を備え、
前記開口部の前記周壁面と前記アタッチメント枠部の前記周壁対向面部との間で水密がとられている、
請求項１〜３のいずれか一項に記載のサッシ構造。
【請求項５】
前記サッシ枠と前記アタッチメント枠部とは屋外側から屋内側に亘って互いに対向する対向面部をそれぞれ備え、
前記対向面部間には、第１の水密部が設けられると共に、前記第１の水密部よりも屋内側の位置に第２の水密部が設けられる、
請求項１〜４のいずれか一項に記載のサッシ構造。
【請求項６】
前記第２の水密部よりも屋内側の位置で、前記サッシ枠が前記アタッチメント枠部に締結される、請求項５に記載のサッシ構造。
【請求項７】
前記外装部はシャッター本体を有し、
前記外装部と前記アタッチメント枠部とによってシャッター枠が構成される、
請求項１〜６のいずれか一項に記載のサッシ構造。
【発明の詳細な説明】
【技術分野】
【０００１】
本発明は、外壁の開口部に設けられるサッシ構造に関する。
【背景技術】
【０００２】
外壁の開口部にシャッターを設ける際に、サッシ枠の前部にシャッター枠を取り付けることがある。この場合、シャッター枠が開口部（窓）から大きく突出することとなり、見栄えが悪化したり、風荷重を受け易くなったり、或は、外形形状が複雑となることで埃が溜まり易くなったりすることがある。
【０００３】
これを解決するものとして、例えば、特許文献１に記載されたシャッター付きサッシが知られている。このサッシは窓の周囲に凹部を形成し、凹部内にシャッター付きサッシを入れ込んでいる。これにより、窓からのシャッターの突出量を抑制している。
【先行技術文献】
【特許文献】
【０００４】
【特許文献１】特開平０９−３２４３７号公報
【発明の概要】
【発明が解決しようとする課題】
【０００５】
特許文献１に記載されているような、シャッター等の外装部付きのサッシを用いる場合、外装部とサッシ枠とが一体的に形成されているため、どちらか一方のみを交換する場合でも外装部付きサッシ全体を取り替えなければならないという問題がある。
【０００６】
そこで、本発明は、外装部の突出量を抑制しつつ、外装部とサッシ枠とを独立して着脱可能なサッシ構造を提供することを目的とする。
【課題を解決するための手段】
【０００７】
本発明の一側面に係るサッシ構造は、外壁に形成された開口部に収容されるアタッチメント枠部と、アタッチメント枠部の前部に取り付けられて外壁から突出する外装部と、アタッチメント枠部の枠内に取り付けられるサッシ枠と、を備える。外装部とサッシ枠とは、いずれも単独でアタッチメント枠部から着脱可能となっている。
【０００８】
このサッシ構造では、外装部とサッシ枠とが、それぞれ独立して着脱可能なようにアタッチメント枠部に取り付けられているので、外装部及びサッシ枠のうち、一方をアタッチメント枠部に設置した状態で他方をアタッチメント枠部から取り外すことができる。このように、本サッシ構造では、アタッチメント枠部を開口部内に収容してアタッチメント枠部に外装部を取り付けることで、外装部の外壁からの突出量を抑制することができ、更に、外装部とサッシ枠とを独立して着脱することができる。
【０００９】
外装部は、屋外側からアタッチメント枠部に着脱可能に取り付けられ、サッシ枠は、屋内側からアタッチメント枠部に着脱可能に取り付けられていてもよい。この場合には、外装部とサッシ枠とが、着脱時に互いに干渉することなく単独でアタッチメント枠部から着脱することができる。
【００１０】
アタッチメント枠部を、建物の躯体に固定される下地部材によって支持してもよい。この場合、アタッチメント枠部が下地部材を介して躯体に固定されるので、アタッチメント枠部の支持強度を向上させることができる。
【００１１】
アタッチメント枠部は、開口部の周壁面に対向する周壁対向面部を備え、開口部の周壁面とアタッチメント枠部の周壁対向面部との間で水密をとってもよい。この場合、外壁との水密がアタッチメント枠部でとられるものとなり、外装部及びサッシ枠のいずれもが外壁との間で水密を取る必要がない。このように、外装部及びサッシ枠において外壁との水密を考慮することが不要となるため、外装部及びサッシ枠の設置や交換が容易となる。
【００１２】
サッシ枠とアタッチメント枠部とは屋外側から屋内側に亘って互いに対向する対向面部をそれぞれ備え、対向面部間には、第１の水密部が設けられると共に、第１の水密部よりも屋内側の位置に第２の水密部が設けられていてもよい。これによれば、サッシ枠とアタッチメント枠部との間の水密を確保することができ、屋内側への雨水等の浸入を確実に防ぐことができる。
【００１３】
第２の水密部よりも屋内側の位置で、サッシ枠がアタッチメント枠部に締結されていてもよい。この場合には、サッシ枠とアタッチメント枠部との締結部分への雨水等の浸入が防止され、サッシ枠とアタッチメント枠部とを締結する締結部材のサビ等を防ぐことができる。
【００１４】
外装部はシャッター本体を有し、外装部とアタッチメント枠部とによってシャッター枠が構成されていてもよい。この場合には、シャッター本体を有する外装部の外壁からの突出を抑制しつつ、外装部とサッシ枠とを独立して着脱することができる。
【発明の効果】
【００１５】
本発明によれば、外装部の突出量を抑制しつつ、外装部とサッシ枠とを独立して着脱することができる。
【図面の簡単な説明】
【００１６】
【図１】一実施形態に係るシャッター付きサッシが取り付けられた外壁部分を垂直方向に切った断面図である。
【図２】図１におけるＩＩ−ＩＩ線に沿った断面図である。
【図３】図１に示すシャッター付きサッシにおける主要部品の分解図である。
【図４】図２に示すシャッター付きサッシにおける主要部品の分解図である。
【発明を実施するための形態】
【００１７】
以下、本発明の一実施形態について図面を参照しながら説明する。なお、図面の説明において同一の要素には同一の符号を付し、重複する説明を省略する。
【００１８】
図１〜図４に示すように、シャッター付きサッシ１は、建物Ａの外壁Ｗに設けられた四角状の開口部Ｒに収容される。シャッター付きサッシ１は、シャッター（外装部）１０、アタッチメント枠部２０、サッシ枠３０、及び、下地部材４０を含んで構成される。ここで、開口部Ｒは、サッシ枠３０によって規定される窓よりもシャッター１０のシャッター本体１１等を収容する分だけ大きい。
【００１９】
シャッター１０は、シャッター本体１１、シャッターボックス１２、一対のシャッター側枠１３、及び、シャッター下枠１４を含んで構成される。シャッター本体１１は、シャッター板１１ａ、及び、シャッター板１１ａの巻取機構１１ｂ等を有する。シャッター板１１ａは、水平方向に延在するシャッター板片を複数連結して構成されている。シャッター本体１１の背面側（建物Ａの屋内側）の一部が、開口部Ｒ内に収容され、前面側が外壁Ｗから突出する。以下、建物Ａの屋外側を前面側、及び、建物Ａの屋内側を背面側という。
【００２０】
シャッターボックス１２は、シャッター本体１１の前面を覆う。シャッターボックス１２の上部には、建物Ａの屋外側に向かって下り方向に傾斜する水切り部１２ａが形成されている。一対のシャッター側枠１３は、シャッター本体１１の下方側の位置において、互いに所定の間隔を開けて鉛直方向に沿って延在する。シャッター板１１ａの両端部は、一対のシャッター側枠１３にそれぞれスライド可能に嵌め込まれる。シャッター側枠１３は、シャッター板１１ａの上下方向のスライドをガイドする。
【００２１】
シャッター下枠１４は、一対のシャッター側枠１３の下端部に取り付けられる。シャッター下枠１４は、巻取機構１１ｂから下方側に向かって送り出されたシャッター板１１ａの先端部(下端部)を受ける。以上の構成により、シャッター１０は、四角枠状を呈する。なお、アタッチメント枠部２０は、シャッター本体１１の背面を覆うものである。このため、シャッター１０とアタッチメント枠部２０とによりシャッター枠が構成されているとも捉えることができる。
【００２２】
アタッチメント枠部２０は、開口部Ｒ内に収容される。アタッチメント枠部２０は、アタッチメント上枠２１、一対のアタッチメント側枠２２、及び、アタッチメント下枠２３を含んで構成される。アタッチメント上枠２１は、シャッター本体１１の背面を覆う。一対のアタッチメント側枠２２は、アタッチメント上枠２１の下部の両端にそれぞれ接続され、下方側に向かって延在する。アタッチメント下枠２３は、一対のアタッチメント側枠２２の下端部に取り付けられる。以上の構成により、アタッチメント枠部２０は、四角枠状を呈する。
【００２３】
シャッター１０は、屋外側から、アタッチメント枠部２０の前面側（前部）に取り付けられる。即ち、シャッター１０のシャッターボックス１２及びシャッター本体１１が、アタッチメント枠部２０のアタッチメント上枠２１の前面側にネジ及び係合部等を用いて着脱可能に取り付けられる。また、シャッター１０のシャッター側枠１３が、アタッチメント枠部２０のアタッチメント側枠２２の前面側にネジ及び係合部等を用いて着脱可能に取り付けられる。また、シャッター１０のシャッター下枠１４が、アタッチメント枠部２０のアタッチメント下枠２３の前面側にネジ及び係合部等を用いて着脱可能に取り付けられる。
【００２４】
アタッチメント上枠２１は、周壁対向面部２１ａ、シャッター対向面部２１ｂ、及び、サッシ対向面部２１ｃを含んで構成される。シャッター対向面部２１ｂは、シャッター本体１１の背面に対向する。周壁対向面部２１ａは、シャッター対向面部２１ｂの上端から、建物Ａの屋外側に向かって突出する。周壁対向面部２１ａは、開口部Ｒの周壁面Ｒａに対向する。サッシ対向面部２１ｃは、シャッター対向面部２１ｂの下端から建物Ａの屋外側に向かって突出する。サッシ対向面部２１ｃは、サッシ枠３０の上面に対向する。サッシ対向面部２１ｃは、建物Ａの屋外側に向かって下り状に傾斜する。これにより、サッシ対向面部２１ｃ上の水滴が建物Ａの屋外側に向かって流れる。
【００２５】
アタッチメント下枠２３は、周壁対向面部２３ａ、及び、サッシ対向面部２３ｃを含んで構成される。周壁対向面部２３ａは、開口部Ｒの周壁面Ｒａに対向する。サッシ対向面部２３ｃは、サッシ枠３０の下面に対向する。周壁対向面部２３ａ及びサッシ対向面部２３ｃは、建物Ａの屋外側に向かって下り状に傾斜する。これにより、アタッチメント下枠２３上に流下した雨水は、建物Ａの屋外側に向けて排出される。
【００２６】
サッシ枠３０は、サッシ上枠３１、一対のサッシ側枠３２、及び、サッシ下枠３３を含んで構成される。サッシ上枠３１は、水平方向に延在する。一対のサッシ側枠３２は、サッシ上枠３１の下部の両端にそれぞれ接続され、下方側に向かって延在する。サッシ下枠３３は、一対のサッシ側枠３２の下端部に取り付けられる。以上の構成により、サッシ枠３０は四角枠状を呈する。
【００２７】
サッシ枠３０は、屋内側からアタッチメント枠部２０の枠内に取り付けられる。詳細には、サッシ枠３０のサッシ上枠３１が、アタッチメント枠部２０の枠内において、アタッチメント上枠２１におけるサッシ対向面部２１ｃの下面から背面に回り込んだ状態（サッシ対向面部２１ｃの下面と背面とを覆った状態）で、サッシ対向面部２１ｃの背面にネジ及び係合部等を用いて着脱可能に取り付けられる。また、サッシ枠３０のサッシ側枠３２が、アタッチメント枠部２０の枠内において、アタッチメント側枠２２の側面から背面に回り込んだ状態（アタッチメント側枠２２の側面と背面とを覆った状態）でアタッチメント側枠２２の背面にネジ及び係合部等を用いて着脱可能に取り付けられる。また、サッシ枠３０のサッシ下枠３３が、アタッチメント枠部２０の枠内において、アタッチメント下枠２３におけるサッシ対向面部２３ｃの上面から背面に回り込んだ状態（サッシ対向面部２３ｃの上面と背面とを覆った状態）でアタッチメント下枠２３に係合部等を用いて着脱可能に取り付けられる。
【００２８】
サッシ上枠３１は、アタッチメント上枠２１のサッシ対向面部２１ｃに対向するアタッチメント対向面部３１ａを有する。サッシ対向面部２１ｃとアタッチメント対向面部３１ａとは、開口部Ｒ内において建物Ａの屋外側から屋内側に亘って互いに対向する。サッシ対向面部２１ｃとアタッチメント対向面部３１ａとの間には、屋外側シール部材（第１の水密部）５１ｘ及び屋内側シール部材（第２の水密部）５２ｘが設けられる(図１参照)。屋内側シール部材５２ｘは、屋外側シール部材５１ｘよりも水密的に建物Ａの屋内側の位置に設けられる。
【００２９】
屋内側シール部材５２ｘは、例えばゴム製の断面塊状の帯部材であり、サッシ対向面部２１ｃ及びアタッチメント対向面部３１ａによって挟み込まれる。これにより、屋内側シール部材５２ｘは、屋内側シール部材５２ｘの屋外側と屋内側との間で雨水の通過及び空気の出入りを抑制する。
【００３０】
屋外側シール部材５１ｘは、例えばゴム製の断面薄板状の帯部材である。屋外側シール部材５１ｘは、サッシ対向面部２１ｃとアタッチメント対向面部３１ａとの間において、一方の端部がサッシ対向面部２１ｃ又はアタッチメント対向面部３１ａに止めつけられつつ、他方の端部がアタッチメント対向面部３１ａ又はサッシ対向面部２１ｃに当接されることで弁状に機能し、これによって、建物Ａの屋外側の空間と室内側の空間とを区画する。屋外側シール部材５１ｘは、屋外側シール部材５１ｘの屋外側と屋内側との間で雨水の通過をある程度抑制しつつ、空気の出入りは許容する。これにより、屋外側シール部材５１ｘの屋外側と屋内側とを等圧とすることができる。例えば、屋内側が屋外側よりも低圧、或は、屋内側が負圧となり、且つ、屋外側シール部材５１ｘが設けられていない場合には、気圧の影響により雨水が屋内側に引き込まれることとなる。しかしながら、本実施形態のように、屋内側シール部材５２ｘの屋外側の位置に屋外側シール部材５１ｘを設けることで、雨水の屋内側への引き込みが抑制される。
【００３１】
アタッチメント上枠２１のサッシ対向面部２１ｃと、サッシ上枠３１のアタッチメント対向面部３１ａとは、ネジ６０によって互いに締結される。ネジ６０は、屋内側シール部材５２ｘよりも屋内側の位置で、サッシ対向面部２１ｃとアタッチメント対向面部３１ａとを締結する。
【００３２】
サッシ下枠３３は、アタッチメント下枠２３のサッシ対向面部２３ｃに対向するアタッチメント対向面部３３ａを有する。サッシ対向面部２３ｃとアタッチメント対向面部３３ａとは、開口部Ｒ内において建物Ａの屋外側から屋内側に亘って互いに対向する。サッシ対向面部２３ｃとアタッチメント対向面部３３ａとの間には、屋外側シール部材（第１の水密部）５３ｘ及び屋内側シール部材（第２の水密部）５４ｘが設けられる（図１参照）。屋内側シール部材５４ｘは、屋外側シール部材５３ｘよりも水密的に屋内側の位置に設けられる。
【００３３】
屋内側シール部材５４ｘは、例えばゴム製の断面塊状の帯部材であり、サッシ対向面部２３ｃ及びアタッチメント対向面部３３ａによって挟み込まれる。これにより、屋内側シール部材５４ｘは、屋内側シール部材５４ｘの屋外側と屋内側との間で雨水の通過及び空気の出入りを抑制する。
【００３４】
屋外側シール部材５３ｘは、例えばスポンジ製の空気通過可能な断面塊状の帯部材であり、サッシ対向面部２３ｃとアタッチメント対向面部３３ａとの間において、建物Ａの屋外側の空間と室内側の空間とを区画する。屋外側シール部材５３ｘは、屋外側シール部材５３ｘの屋外側と屋内側との間で雨水の通過をある程度抑制しつつ、空気の出入りは許容する。これにより、屋外側シール部材５３ｘの屋外側と屋内側とを等圧とすることができる。このように、屋内側シール部材５４ｘの屋外側の位置に屋外側シール部材５３ｘを設けることで、屋外側シール部材５１ｘを設けた場合と同様に、雨水の屋内側への引き込みが抑制される。
【００３５】
サッシ下枠３３は、ガラス窓７２等を伝ってサッシ下枠３３上に流下する雨水を建物Ａの屋外側に向けて排出する機能を有する。例えば、アタッチメント対向面部３３ａを屋外側に向けて下り方向に傾斜させたり、排水孔を設けたりすることができる。
【００３６】
サッシ側枠３２は、アタッチメント側枠２２のサッシ対向面部２２ａに対向するアタッチメント対向面部３２ａを有する。サッシ対向面部２２ａとアタッチメント対向面部３２ａとは、開口部Ｒ内において建物Ａの屋外側から屋内側に亘って互いに対向する。サッシ対向面部２２ａとアタッチメント対向面部３２ａとの間には、屋外側シール部材（第１の水密部）５６ｘ及び屋内側シール部材（第２の水密部）５７ｘが設けられる（図２参照）。屋内側シール部材５７ｘは、屋外側シール部材５６ｘよりも水密的に屋内側の位置に設けられる。
【００３７】
屋内側シール部材５７ｘは、屋内側シール部材５２ｘと同様に、屋内側シール部材５７ｘの屋外側と屋内側との間で雨水の通過及び空気の出入りを抑制する。屋外側シール部材５６ｘは、屋外側シール部材５１ｘと同様に、屋外側シール部材５６ｘの屋外側と屋内側との間で雨水の通過をある程度抑制しつつ、空気の出入りは許容する。これにより、屋外側シール部材５６ｘの屋外側と屋内側とを等圧とすることができる。このように、屋内側シール部材５７ｘの屋外側の位置に屋外側シール部材５６ｘを設けることで、屋外側シール部材５１ｘを設けた場合と同様に、雨水の屋内側への引き込みが抑制される。
【００３８】
アタッチメント側枠２２のサッシ対向面部２２ａと、サッシ側枠３２のアタッチメント対向面部３２ａとは、ネジ６１によって互いに締結される。ネジ６１は、屋内側シール部材５７ｘよりも屋内側の位置で、サッシ対向面部２２ａとアタッチメント対向面部３２ａとを締結する。
【００３９】
サッシ枠３０は、アタッチメント枠部２０のアタッチメント上枠２１、一対のアタッチメント側枠２２、及び、アタッチメント下枠２３によって形成される開口部に屋内側から嵌め込まれ、ネジ６０及び６１によってアタッチメント枠部２０に固定される。詳細には、まず、サッシ枠３０を斜めにした状態で、屋内側から、サッシ枠３０の下端部をアタッチメント枠部２０のアタッチメント下枠２３上に乗せる。次に、サッシ枠３０を起立させ、サッシ枠３０のアタッチメント対向面部３１ａをアタッチメント枠部２０のサッシ対向面部２１ｃに対向させる。次に、ネジ６０により、サッシ上枠３１とアタッチメント上枠２１とを固定し、ネジ６１により、サッシ側枠３２とアタッチメント側枠２２とを固定することで、サッシ枠３０がアタッチメント枠部２０に取り付けられる。
【００４０】
網戸７１、ガラス窓７２、及び、ガラス窓７３のそれぞれは、サッシ上枠３１にスライド可能に係合し、網戸７１、ガラス窓７２、及び、ガラス窓７３のそれぞれは、サッシ下枠３３にスライド可能に係合する。サッシ枠３０の屋内側の端部は、四角枠状に形成された窓枠７０に接続される。
【００４１】
下地部材４０は、アタッチメント枠部２０を開口部Ｒ内で支持する。下地部材４０は、建物Ａの躯体に固定される。下地部材４０は、下地上枠４１、一対の下地側枠４２、及び、下地下枠４３を含んで構成される。下地上枠４１は、開口部Ｒの上方側の縁部に沿って延在する。一対の下地側枠４２は、開口部Ｒの側方側のそれぞれの縁部に沿って延在する。下地下枠４３は、開口部Ｒの下方側の縁部に沿って延在する。
【００４２】
アタッチメント枠部２０におけるアタッチメント上枠２１の上部が、下地部材４０の下地上枠４１にネジによって固定される。アタッチメント枠部２０におけるアタッチメント側枠２２が、下地部材４０の下地側枠４２にネジによって固定される。アタッチメント枠部２０におけるアタッチメント下枠２３が、下地部材４０の下地下枠４３にネジによって固定される。
【００４３】
アタッチメント枠部２０は、外壁Ｗの周壁面Ｒａに対して所定の隙間を設けて、下地部材４０によって固定される。アタッチメント枠部２０と外壁Ｗの周壁面Ｒａとの隙間には、シーリング材５５ｘが充填される。アタッチメント上枠２１の上部と外壁Ｗとの隙間にシーリング材５５ｘが充填されていることで、シャッター付きサッシ１の上部の外壁Ｗの壁面を伝う雨水は、外壁Ｗの壁面から水切り面１２ａに至り、水切り面１２ａの下端から落下する。これにより、外壁Ｗの壁面を伝う雨水を、建物Ａの屋内側に浸入させることなくシャッター１０によって水切りをすることができる。
【００４４】
シャッター１０をアタッチメント枠部２０の前面側に取り付けることにより、アタッチメント枠部２０及びサッシ枠３０の前面側がシャッター１０によって覆われ、アタッチメント枠部２０及びサッシ枠３０を屋外側から見え難くすることができる。シャッター１０とサッシ枠３０とは、いずれも単独で、アタッチメント枠部２０から着脱することができる。即ち、アタッチメント枠部２０にサッシ枠３０が取り付けられているか否かに関わらず、シャッター１０をアタッチメント枠部２０に対してアタッチメント枠部２０の前面側（屋外側）から着脱することができる。同様に、アタッチメント枠部２０にシャッター１０が取り付けられているか否かに関わらず、サッシ枠３０をアタッチメント枠部２０に対してアタッチメント枠部２０の背面側（屋内側）から着脱することができる。なお、シャッター１０はアタッチメント枠部２０に固定されるものであるが、図１に示すように、例えば、シャッター下枠１４がサッシ下枠３３の前面に一部係合していてもよい。このように、シャッター１０とサッシ枠３０とが互いに係合している場合であっても、シャッター１０及びサッシ枠３０をアタッチメント枠部２０に対して単独で着脱可能に構成する。
【００４５】
本実施形態は以上のように構成され、シャッター１０とサッシ枠３０とが、それぞれ独立して着脱可能なようにアタッチメント枠部２０に取り付けられ、且つ、アタッチメント枠部２０が下地部材４０を介して建物の躯体に固定されているので、シャッター１０及びサッシ枠３０のうち、一方をアタッチメント枠部２０に設置した状態で他方をアタッチメント枠部２０から取り外すことができる。このように、実施形態に係るシャッター付きサッシ１では、アタッチメント枠部２０を開口部Ｒ内に収容してアタッチメント枠部２０にシャッター１０を取り付けることで、シャッター１０の外壁Ｗからの突出量を抑制することができ、更に、シャッター１０とサッシ枠３０とを独立して着脱することができる。
【００４６】
建物Ａの躯体に下地部材４０を固定することで、アタッチメント枠部２０の支持強度を向上させることができる。
【００４７】
アタッチメント枠部２０とサッシ枠３０との間に、屋外側シール部材５１ｘ，５３ｘ及び５６ｘと、屋内側シール部材５２ｘ，５４ｘ及び５７ｘとを設けることで、サッシ枠３０とアタッチメント枠部２０との間の水密を確保することができ、屋内側への雨水等の浸入を確実に防ぐことができる。
【００４８】
屋内側シール部材５２ｘよりも屋内側の位置で、アタッチメント上枠２１とサッシ上枠３１とをネジ６０を用いて締結し、屋内側シール部材５７ｘよりも屋内側の位置で、アタッチメント側枠２２とサッシ側枠３２とをネジ６１を用いて締結する。この場合には、サッシ枠３０とアタッチメント枠部２０との締結部分への雨水等の浸入が防止され、サッシ枠３０とアタッチメント枠部２０とを締結するネジ６０及び６１のサビ等を防ぐことができる。
【００４９】
上記のように、シャッター１０とアタッチメント枠部２０との間、及び、アタッチメント枠部２０とサッシ枠３０との間でそれぞれ水密をとり、更に、アタッチメント枠部２０と外壁Ｗの周壁面Ｒａとの隙間にシーリング材５５ｘを充填して水密をとる。この場合、外壁Ｗとの水密がアタッチメント枠部２０でとられるものとなり、シャッター１０及びサッシ枠３０のいずれも外壁Ｗとの間で水密を取る必要がない。このように、シャッター１０及びサッシ枠３０において外壁Ｗとの水密を考慮することが不要となるため、シャッター１０及びサッシ枠３０の設置や交換が容易となる。
【００５０】
以上、本発明の一実施形態について説明したが、本発明は、上記実施形態に限定されるものではない。例えば、アタッチメント枠部２０の前部にシャッター１０を取り付けるものとしたが、シャッター１０以外の付属物（外装部）をアタッチメント枠部２０に取り付けることもできる。
【００５１】
また、シャッター１０、アタッチメント枠部２０、サッシ枠３０、及び、下地部材４０等の形状は、上述したものに限定されず、種々の構成を採用することができる。
【符号の説明】
【００５２】
１…シャッター付きサッシ、１０…シャッター（外装部）、１１…シャッター本体、２０…アタッチメント枠部、２１ａ，２３ａ…周壁対向面部、２１ｃ，２２ａ，２３ｃ…サッシ対向面部（対向面部）、３０…サッシ枠、３１ａ，３２ａ，３３ａ…アタッチメント対向面部（対向面部）、４０…下地部材、５１ｘ，５３ｘ，５６ｘ…屋外側シール部材（第１の水密部）、５２ｘ，５４ｘ，５７ｘ…屋内側シール部材（第２の水密部）、Ｒ…開口部、Ｒａ…周壁面、Ｗ…外壁。
【図１】
2014231679.tif 000003
【図２】
2014231679.tif 000004
【図３】
2014231679.tif 000005
【図４】
2014231679.tif 000006